(57)【要約】      （修正有）【課題】タグを読み取るときに、タグが商品から一定の距離だけ離れているようにすることができ、かつ他の機能を損なうことのないコンテナを提供する。【解決手段】底部に側壁が設けられ、側壁の上部にフランジが設けられた箱状のコンテナであって、フランジの一部であって回転軸５７を備える回転フランジ部５３と、タグホルダを備える回転側壁部５５と、が連結されて、鉛直方向の断面が略Ｌ字形の回転部５１を形成し、回転部５１は、回転軸５７を中心点として、フランジに対し回転するものとする。回転側壁部５５は、例えば、側壁の一部であるが、ネスティングの機能を損なわないように設けられるものであれば良い。【選択図】図６
2009051559.tif 000002
【特許請求の範囲】
【請求項１】
底部に側壁が設けられ、前記側壁の上部に上部フランジが設けられた箱状のコンテナであって、
前記上部フランジの一部であって回転軸を備える回転フランジ部と、タグホルダを備える回転側壁部と、が連結されて、鉛直方向の断面が略Ｌ字形の回転部を形成し、前記回転部は、前記回転軸を中心点として、前記上部フランジに対し回転することを特徴とするコンテナ。
【請求項２】
前記回転側壁部が前記側壁として機能するときの前記回転部の第１の位置と、前記第１の位置から略半回転したときの前記回転部の第２の位置と、の両方において前記回転フランジ部を固定するための固定機構を有することを特徴とする請求項１に記載のコンテナ。
【請求項３】
前記固定機構は、前記回転フランジ部と前記上部フランジとが接する部分に設けられたものであり、前記上部フランジが備える突起部が、前記回転フランジ部が備える窪み部に嵌まることによって、前記回転フランジ部を固定するものであることを特徴とする請求項２に記載のコンテナ。
【請求項４】
前記第１の位置において、前記回転側壁部を除く前記側壁である非回転側壁部が、前記回転側壁部と前記コンテナの外部との間に形成されることを特徴とする請求項１から請求項３までのいずれかに記載のコンテナ。
【請求項５】
前記回転軸は、前記回転フランジ部の外部方向の先端から前記非回転側壁部までの距離の略中点に設けられることを特徴とする請求項１から請求項４までのいずれかに記載のコンテナ。
【請求項６】
前記回転側壁部と前記回転フランジ部とが連結される部分は、回転可能に設けられるヒンジであることを特徴とする請求項１から請求項５までのいずれかに記載のコンテナ。
【請求項７】
前記回転フランジ部および／または前記回転側壁部に、前記回転側壁部の回転運動を所望の位置で停止させるストッパを備えることを特徴とする請求項６に記載のコンテナ。
【請求項８】
前記回転側壁部は、複数の部材で構成され、各部材が連結される部分が回転可能に設けられるヒンジであることを特徴とする請求項６に記載のコンテナ。
【発明の詳細な説明】
【技術分野】
【０００１】
本発明は、ＩＣタグ等を保持するタグホルダを備えるコンテナに関する。
【背景技術】
【０００２】
現在、物流業界では、商品の搬送に使用するコンテナにＩＣタグを取り付け、商品の入出荷管理を行っている。しかしながら、コンテナの内部に金属系、水分系の商品を収容すると、ＩＣタグの読み取りが悪くなり、全く読み取れない場合もある。これは、ＩＣタグとＩＣタグリーダとの間の通信に用いられる電波が、金属や水分の影響を受け、電波状態が大きく変化し、読み取り距離が短くなってしまうためである。
【０００３】
このような問題に対する先行技術としては、例えば、特許文献１がある。特許文献１では、表壁と裏壁を有する中空二重壁構造のコンテナの中空部内にＩＣタグを配置するものであって、ＩＣタグを中空部内に内装される予備成形体（発泡体）に予め所定の位置に固定した状態でコンテナを成形する。
【特許文献１】特開２００７−３９０４１号公報
【発明の開示】
【発明が解決しようとする課題】
【０００４】
しかしながら、特許文献１に係るコンテナでは、ＩＣタグが内装されている部分の裏壁に、金属系、水分系の商品が接するように収容されると、やはりＩＣタグの読み取りが悪くなる可能性が高い。ＩＣタグを安定的に読み取るためには、ＩＣタグと金属系、水分系の商品との距離が、例えば、ＩＣタグの周波数帯がＵＨＦ帯であれば１ｃｍ程度、１３．５６ＭＨｚであれば４ｃｍ程度離れている必要がある。つまり、ＩＣタグを読み取るときには、ＩＣタグが、金属系、水分系の商品から一定の距離だけ離れている必要がある。
【０００５】
一方、コンテナは、様々な機能を持つものが存在する。例えば、スタッキング機能は、収容する商品が入っている状態で、コンテナを積み重ねることができる機能である。また、例えば、ネスティング機能は、収容する商品が入っていない状態で、省スペースを目的として、入れ子のようにコンテナを積み重ねることができる機能である。また、例えば、折り畳み機能は、コンテナの各側壁を折り畳むことができる機能である。そして、ＩＣタグの設置場所をコンテナに設ける場合、こうした機能を損なわないようにする必要がある。
【０００６】
尚、ＩＣタグは、例えば、無線タグまたはＲＦＩＤ（Ｒａｄｉｏ  Ｒｒｅｑｕｅｎｃｙ  Ｉｄｅｎｔｉｆｉｃａｔｉｏｎ）タグとも呼ばれる。以下では、ＩＣタグのように非接触型の情報記憶媒体を、単に「タグ」と呼ぶこととする。
【０００７】
本発明は、前述した問題点に鑑みてなされたもので、その目的は、タグを読み取るときに、タグが商品から一定の距離だけ離れているようにすることができ、かつ他の機能を損なうことのないコンテナを提供することである。
【課題を解決するための手段】
【０００８】
前述した目的を達成するために本発明は、底部に側壁が設けられ、前記側壁の上部に上部フランジが設けられた箱状のコンテナであって、前記上部フランジの一部であって回転軸を備える回転フランジ部と、タグホルダを備える回転側壁部と、が連結されて、鉛直方向の断面が略Ｌ字形の回転部を形成し、前記回転部は、前記回転軸を中心点として、前記上部フランジに対し回転することを特徴とするコンテナである。
【発明の効果】
【０００９】
本発明により、タグを読み取るときに、タグが商品から一定の距離だけ離れているようにすることができ、かつ他の機能を損なうことのないコンテナを提供することができる。
【発明を実施するための最良の形態】
【００１０】
以下図面に基づいて、本発明の実施形態を詳細に説明する。
【００１１】
まず、図１から図３までを参照し、スタッキング機能およびネスティング機能を有するコンテナについて説明する。
図１は、スタッキング機能およびネスティング機能を有するコンテナの一例を示す斜視図である。
図１に示すように、コンテナ１は、底部７に、２つの対向する短側壁３、２つの対向する長側壁５が設けられた箱状のものである。コンテナ１は、対応する蓋があっても良いが、スタッキング並びにネスティングを行う際は、蓋のない状態となる。また、コンテナ１の材質は、例えば、プラスチック等であるが、本実施の形態では、金属以外であれば特に限定されるものではない。
【００１２】
短側壁３の上端部には、短側壁上部フランジ９が、短側壁３と略Ｌ字形をなすように設けられ、コンテナ１の外側に張り出している。同様に、長側壁５の上端部には、長側壁上部フランジ１１が、長側壁５と略Ｌ字形をなすように設けられ、コンテナ１の外側に張り出している。短側壁上部フランジ９と長側壁上部フランジ１１とは、コンテナ１の４つの角で連結している。
【００１３】
短側壁３を正面から見ると、短側壁中部フランジ１３が、左右両端部において、コンテナ１の高さと比して略半分の高さの位置に、短側壁３と略Ｔ字形をなすように設けられ、コンテナ１の外側に張り出している。また、短側壁３を正面から見ると、中央部には特に何も設けられていない。一方、長側壁５を正面から見ると、長側壁中部フランジ１５が、中央部にも切れ目なく、コンテナ１の高さと比して略半分の高さの位置に、長側壁５と略Ｔ字形をなすように設けられ、コンテナ１の外側に張り出している。
【００１４】
以下、フランジや補強リブがコンテナ１の外側に張り出している幅の大きさを張り出し幅と呼ぶこととする。短側壁上部フランジ９の張り出し幅と短側壁中部フランジ１３の張り出し幅の大きさは、略同一である。同じく、長側壁上部フランジ１１の張り出し幅と長側壁中部フランジ１５の張り出し幅の大きさは、略同一である。但し、長側壁中部フランジ１５については、長側壁５を正面から見たときの中央部付近の張り出し幅が短い。
【００１５】
コンテナ１の４つの角には、短側壁上部フランジ９と長側壁上部フランジ１１との連結部、および短側壁中部フランジ１３と長側壁中部フランジ１５との連結部を補強するように、角補強リブ１７が設けられている。
【００１６】
ここまでに説明した短側壁上部フランジ９、長側壁上部フランジ１１、短側壁中部フランジ１３、長側壁中部フランジ１５および角補強リブ１７については、対向する短側壁３および長側壁５においても、正面から見て左右同様の位置に設けられている。一方、これから説明する短側壁上部補強リブ１９ａ、短側壁下部補強リブ１９ｂ、長側壁上部広補強リブ２１ａ、長側壁下部広補強リブ２１ｂ、長側壁上部狭補強リブ２３ａ、長側壁下部狭補強リブ２３ｂ、短側壁膨出部２５、長側壁狭膨出部２７、長側壁広膨出部２９、短側壁受容溝３１、長側壁狭受容溝３３、長側壁広受容溝３５については、対向する短側壁３および長側壁５において、正面から見て左右逆の位置に設けられている。
【００１７】
短側壁３の一方を正面から見ると、短側壁上部補強リブ１９ａが、短側壁上部フランジ９および短側壁中部フランジ１３を補強するように設けられている。そして、短側壁上部補強リブ１９ａの右側には、短側壁膨出部２５が設けられている。短側壁膨出部２５は、コンテナ１の内部に設けられた短側壁受容溝３１がコンテナ１の外側に張り出した部分である。短側壁上部補強リブ１９ａの下方には、短側壁中部フランジ１３を挟んで、短側壁下部補強リブ１９ｂが設けられている。短側壁下部補強リブ１９ｂの張り出し幅は、短側壁上部補強リブ１９ａの張り出し幅よりも短い。短側壁上部補強リブ１９ａ、短側壁下部補強リブ１９ｂおよび短側壁膨出部２５は、それぞれの短側壁３に２組設けられている。
【００１８】
一方、反対側の短側壁３を正面から見ると、短側壁上部補強リブ１９ａと短側壁膨出部２５の位置構成は逆になる。すなわち、短側壁膨出部２５は、短側壁上部補強リブ１９ａの左側に設けられている。
【００１９】
長側壁５の一方を正面から見ると、左側には、長側壁上部広補強リブ２１ａ、長側壁下部広補強リブ２１ｂおよび長側壁狭膨出部２７が設けられている。長側壁上部広補強リブ２１ａは、長側壁上部フランジ１１および長側壁中部フランジ１５を補強するように設けられている。長側壁上部広補強リブ２１ａの右側には、長側壁狭膨出部２７が設けられている。長側壁狭膨出部２７は、コンテナ１の内部に設けられた長側壁狭受容溝３３がコンテナ１の外側に張り出した部分である。長側壁上部広補強リブ２１ａの下方には、長側壁中部フランジ１５を挟んで、長側壁下部広補強リブ２１ｂが設けられている。長側壁下部広補強リブ２１ｂの張り出し幅は、長側壁上部広補強リブ２１ａの張り出し幅よりも短い。
【００２０】
また、右側には、長側壁上部狭補強リブ２３ａ、長側壁下部狭補強リブ２３ｂおよび長側壁広膨出部２９が設けられている。長側壁上部狭補強リブ２３ａは、長側壁上部フランジ１１および長側壁中部フランジ１５を補強するように設けられている。長側壁上部狭補強リブ２３ａの右側には、長側壁広膨出部２９が設けられている。長側壁広膨出部２９は、コンテナ１の内部に設けられた長側壁広受容溝３５がコンテナ１の外側に張り出した部分である。長側壁上部狭補強リブ２３ａの下方には、長側壁中部フランジ１５を挟んで、長側壁下部狭補強リブ２３ｂが設けられている。長側壁下部狭補強リブ２３ｂの張り出し幅は、長側壁上部狭補強リブ２３ａの張り出し幅よりも短い。
【００２１】
一方、反対側の長側壁５を正面から見ると、各構成部材の位置構成は逆になる。すなわち、左側には、長側壁上部狭補強リブ２３ａ、長側壁下部狭補強リブ２３ｂおよび長側壁広膨出部２９が設けられている。また、右側には、長側壁上部広補強リブ２１ａ、長側壁下部広補強リブ２１ｂおよび長側壁狭膨出部２７が設けられている。
【００２２】
以上説明したとおり、コンテナ１は、二つの短側壁３、および二つの長側壁５に設けられている一部の構成部材の位置構成が逆になっている。これによって、コンテナ１は、図２、図３の説明にて後述するスタッキング、およびネスティングの機能を有することになる。
【００２３】
尚、短側壁３に設けられている補強リブは全て略同一の横幅である。また、同様に、短側壁３に設けられている受容溝は全て略同一の横幅である。一方、長側壁５に設けられている補強リブは、横幅が広いものと狭いものとが存在する。同様に、長側壁５に設けられている受容溝は、横幅が広いものと狭いものとが存在する。この違いは、スタッキング、およびネスティングの機能について本質的なものではない。すなわち、短側壁３に設けられている補強リブおよび受容溝は、横幅が広いものと狭いものとの２種類あっても良い。また、長側壁５に設けられている補強リブおよび受容溝の横幅は略同一にしても良い。
【００２４】
ここでは、以下で用いる用語の中で、複数の部材を包含する意味を有する用語を定義する。側壁は、短側壁３、長側壁５を包含する。上部フランジは、短側壁上部フランジ９、長側壁上部フランジ１１を包含する。尚、上部フランジは、側壁の上部に設けられたフランジである。補強リブは、角補強リブ１７、短側壁上部補強リブ１９ａ、短側壁下部補強リブ１９ｂ、長側壁上部広補強リブ２１ａ、長側壁下部広補強リブ２１ｂ、長側壁上部狭補強リブ２３ａ、長側壁下部狭補強リブ２３ｂを包含する。膨出部は、短側壁膨出部２５、長側壁狭膨出部２７、長側壁広膨出部２９を包含する。受容溝は、短側壁受容溝３１、長側壁狭受容溝３３、長側壁広受容溝３５を包含する。
【００２５】
図２は、コンテナ１のスタッキングの機能の概要を示す図である。
図２は、長側壁５の一方を正面から見た図になっており、二つのコンテナ１が上下に積み上げられている。膨出部は、全体が外側に張り出していることから、強調するために網目模様としている。
【００２６】
一般に、スタッキングおよびネスティングの機能を有するコンテナ１は、全体を２等分し、２色で色分けされていることが多い。これは、作業者が色によって、スタッキングの向きか、またはネスティングの向きかを瞬時に判断できるようにするためである。
【００２７】
図２に示すように、上方のコンテナ１は、左側がＡ色、右側がＢ色になっている。また、下方のコンテナ１も、左側がＡ色、右側がＢ色になっている。このように、二つのコンテナ１を同じ向きに積み上げると、スタッキングの機能を果たすことになる。これは、上方のコンテナ１に係る長側壁下部広補強リブ２１ｂ、長側壁下部狭補強リブ２３ｂ、および短側壁下部補強リブ１９ｂ（図示しない）が、下方のコンテナ１に係る長側壁上部フランジ１１に支えられる状態になるためである。
【００２８】
図３は、コンテナ１のネスティングの機能の概要を示す図である。
図３は、長側壁５の一方を正面から見た図になっており、二つのコンテナ１が上下に積み上げられている。膨出部は、全体が外側に張り出していることから、強調するために網目模様としている。
【００２９】
図３に示すように、上方のコンテナ１は、左側がＢ色、右側がＡ色になっている。一方、下方のコンテナ１は、左側がＡ色、右側がＢ色になっている。このように、二つのコンテナ１を逆向きに積み上げると、ネスティングの機能を果たすことになる。これは、上方のコンテナ１に係る長側壁下部広補強リブ２１ｂ、長側壁下部狭補強リブ２３ｂ、および短側壁下部補強リブ１９ｂ（図示しない）が、それぞれ、下方のコンテナ１に係る長側壁広受容溝３５、長側壁狭受容溝３３、および短側壁受容溝３１（図示しない）に挿入されるためである。
【００３０】
以上説明したとおり、二つのコンテナ１を同じ向きに積み上げると、スタッキングの機能を果たす。また、二つのコンテナ１を逆向きに積み上げると、ネスティングの機能を果たす。
【００３１】
次に、図４を参照し、コンテナ１にタグを取り付ける構成の１例について説明する。
図４は、カンバンホルダ４３とシート４５を用いたタグ４１の取り付けの１例を示す図である。
【００３２】
一般に、短側壁３あるいは長側壁５に係る一定の面積を占める部分は、何も設けられていない場合が多い。そして、コンテナ１に収容する商品の名称や数量などを記載したカンバンを入れるため、図４に示すように、短側壁３等にカンバンホルダ４３を設けることがある。そこで、図４に示すように、タグ４１を備えたシート４５をカンバンホルダ４３に入れることで、コンテナ１にタグ４１を取り付けるという目的が達成できる。
【００３３】
シート４５は、例えば、リライタブルタグシートである。ここで、リライタブルタグシートとは、タグ４１が付与されていて、タグ４１が保持する情報を可視化した書き換え可能なシートである。更に、例えば、シート４５の材質が可撓性のあるプラスチック等である場合、短側壁上部フランジ９を支点として、シート４５がコンテナ１の外側に少し撓む。そして、図４に示すように、タグ４１が短側壁上部フランジ９よりも上方に位置するようにシート４５をカンバンホルダ４３に入れることで、タグ４１が、コンテナ１に収容する商品から一定の距離だけ離れている状態にすることができる。
【００３４】
但し、図４に示す構成では、タグ４１を備えたシート４５をコンテナ１から簡単に取り外すことができるため、タグ４１自体を紛失してしまう可能性がある。また、カンバンホルダ４３を設ける場所によっては、ネスティングの機能を損なう可能性がある。
【００３５】
次に、図５から図１１までを参照し、回転部５１を設けたコンテナ１について説明する。
図５は、回転部５１を設けたコンテナ１の１例を示す図である。
図５に示す例では、回転部５１は、短側壁３に設けられている。尚、回転部５１は、長側壁５に設けられても良い。
【００３６】
図６は、回転部５１の詳細を示す斜視図である。
図６に示す例では、回転部５１と、回転部５１を挟む短側壁上部フランジ９および短側壁３の一部とを図示している。図６の手前方向が、コンテナ１の外部方向である。また、図６の奥方向が、コンテナ１の内部方向である。各部材の材質は、例えば、プラスチック等である。
【００３７】
図６に示すように、回転部５１は、回転フランジ部５３と回転側壁部５５とが連結されて形成され、鉛直方向の断面は略Ｌ字形である。回転フランジ部５３は、短側壁上部フランジ９の一部である。また、回転側壁部５５は、例えば、短側壁３の一部である。但し、ネスティングの際、上方のコンテナ１の短側壁３と下方のコンテナ１の短側壁３との間に隙間があるような場合、回転側壁部５５は、この隙間に入るように、短側壁３の一部でなく、別途短側壁３と重ね合わさるように設けられても良い。すなわち、回転側壁部５５は、ネスティングの機能を損なわないように設けられるものであれば良い。以下では、混乱を避けるために、回転側壁部５５は、短側壁３の一部であるものとして説明する。
【００３８】
回転フランジ部５３は、回転軸５７、窪み部５９等を備える。回転側壁部５５は、図７の説明にて後述するタグホルダ６７等を備える。回転軸５７は、回転フランジ部５３と一体となって回転するように設けられても良い。また、回転フランジ部５３のみが回転し、回転軸５７は後述する差込部６１に固定されていても良い。
【００３９】
窪み部５９は、後述する突起部６３と合わせて固定機構をなす。ここで、固定機構は、回転側壁部５５が短側壁３として機能するときの回転部５１の第１の位置と、第１の位置から略半回転したときの回転部５１の第２の位置と、の両方において回転フランジ部５３を固定するものである。以下、第１の位置および第２の位置は、前述した回転部５１の位置を示すものとする。
【００４０】
回転フランジ部５３を挟む短側壁上部フランジ９は、回転フランジ部５３と接する両側ともに、差込部６１、突起部６３、ばね部６５等を備える。差込部６１は、回転軸５７を差し込む孔である。突起部６３は、窪み部５９に嵌まることによって、回転フランジ部５３を固定する。ばね部６５は、突起部６３を窪み部５９に嵌めるために作用する。ばね部６５の材質は、プラスチックであることが望ましいが、金属であっても構わない。これは、ばね部６５のみが金属であっても、タグ４１の読み取りに大きな影響を与えることはないからである。
【００４１】
固定機構によって固定された回転フランジ部５３は、人為的な力によって回転フランジ部５３の一端を押すことで固定状態から回転可能な状態となる。一方、例えば、コンテナ１がベルトコンベア等によって運ばれている場合、ベルトコンベア等の振動によって固定状態から回転可能な状態になることはない。
【００４２】
図７は、回転部５１の第２の位置を示す図である。
図７に示すように、回転部５１は、タグホルダ６７を備える。第２の位置においては、タグホルダ６７は、コンテナ１に収容する商品から一定の距離だけ離れている状態にすることができる。すなわち、タグホルダ６７に保持されるタグ４１は、コンテナ１に収容する商品から一定の距離だけ離れている状態にすることができる。以下では、タグホルダ６７にはタグ４１が保持されているものとする。そして、タグホルダ６７が商品から一定の距離だけ離れている状態とは、タグ４１の読み取りが問題なく行える状態であることを意味するものとする。
【００４３】
図８は、図５のＸ−Ｙ線断面図である。
図８では、回転部５１が第１の位置から回転する様子を示している。また、図８では、回転側壁部５５を除く短側壁３を網目模様としている。そして、網目模様の部分が非回転側壁部６９である。また、図８では、回転軸５７を黒丸としている。
【００４４】
図８に示すように、第１の位置において、非回転側壁部６９が、回転側壁部５５とコンテナ１の外部との間に形成されている。これによって、回転部５１が回転した場合であっても、コンテナ１の側壁に開口部（＝内部から外部に物が通る部分）が生じず、収容する商品が側面から外部に出ることはない。すなわち、回転部５１が回転した場合であっても、コンテナ１の商品を収容する機能を損なうことはない。
【００４５】
尚、コンテナ１の側壁に開口部があるかどうかは、スタッキングの機能を損なうかどうかにも影響する。スタッキングの際、下方のコンテナ１は、上方のコンテナ１の底部７によって覆われ、密閉状態になる。しかし、開口部がある場合、密閉状態にはならず、スタッキングの機能を一部損なうことになる。
【００４６】
また、回転軸５７は、回転フランジ部５３の外部方向の先端から非回転側壁部６９までの距離の略中点に設けられる。これによって、回転部５１が第１の位置から回転し、第２の位置に固定されるまで、回転フランジ部５３と非回転側壁部６９が接触することはない。
【００４７】
尚、図８では、タグホルダ６７が回転側壁部５５内に形成されている。これは、コンテナ１のネスティングの機能を損なわないようにするためである。但し、ネスティングの際、上方のコンテナ１の側壁と下方のコンテナ１の側壁との間に隙間があるような場合、タグホルダ６７は回転側壁部５５の表面に形成しても良い。
【００４８】
図９は、図７のＸ−Ｙ線断面図である。
図９では、回転部５１が第２の位置に固定されている様子を示している。また、図９では、非回転側壁部６９を網目模様とし、回転軸５７を黒丸としている。
【００４９】
図９に示すように、第２の位置では、タグホルダ６７が、コンテナ１に収容する商品から一定の距離だけ離れている状態となっている。また、コンテナ１の側壁に開口部が生じていない。尚、回転側壁部５５には、図４に示したカンバンホルダ４３を設けるようにしても良い。第２の位置における回転側壁部５５の外部方向の表面は、作業者がカンバンを出し入れすることが容易であり、かつカンバンを確認することも容易である。従って、回転側壁部５５がカンバンホルダ４３を備えることによって、コンテナ１の搬出入における利便性が向上する。
【００５０】
図１０は、図７に示すコンテナ１に係るスタッキングの様子を示す図である。
図１０では、上方のコンテナ１に係る回転部５１および下方のコンテナ１に係る回転部５１の両方が、第２の位置に固定されている。
【００５１】
スタッキングでは、上方のコンテナ１に係る補強リブが、下方のコンテナ１に係る上部フランジに支えられる状態になる。このとき、下方のコンテナ１に係る回転部５１は、上方のコンテナ１に係る部材と接触することはない。すなわち、回転部５１が第２の位置に固定されていても、スタッキングの機能を損なうことはない。
【００５２】
尚、当然ながら、回転部５１が第１の位置に固定されていても、スタッキングの機能を損なうことはない。これは、回転フランジ部５３が、上部フランジの一部だからである。
【００５３】
図１１は、図７に示すコンテナ１に係るネスティングの様子を示す図である。
図１１では、上方のコンテナ１に係る回転部５１および下方のコンテナ１に係る回転部５１の両方が、第２の位置に固定されている。
【００５４】
ネスティングでは、上方のコンテナ１に係る補強リブが、それぞれ、下方のコンテナ１に係る受容溝に挿入される状態になる。このとき、下方のコンテナ１に係る回転部５１は、上方のコンテナ１に係る部材と接触することはない。すなわち、回転部５１が第２の位置に固定されていても、ネスティングの機能を損なうことはない。
【００５５】
尚、当然ながら、回転部５１が第１の位置に固定されていても、ネスティングの機能を損なうことはない。これは、回転部５１を構成する回転フランジ部５３がコンテナ１の上部フランジの一部であり、回転側壁部５５がコンテナ１の側壁の一部、またはネスティングの機能を損なわないように設けられたものであるからである。
【００５６】
次に、図１２から図１５までを参照し、回転部５１の一部を変更した回転部５１ａ、および回転部５１ｂについて説明する。
図１２は、回転部５１ａの詳細を示す図である。
図１２では、回転部５１ａが第１の位置に固定される状態において、回転フランジ部５３ａと回転側壁部５５ａを分解して図示している。そして、図１２の手前方向が、コンテナ１の内部方向である。また、図１２の奥方向が、コンテナ１の内部方向である。
【００５７】
図１２に示すように、回転部５１ａは、回転フランジ部５３ａと回転側壁部５５ａとが連結されて形成され、鉛直方向の断面は略Ｌ字形である。回転フランジ部５３ａは、短側壁上部フランジ９の一部である。また、回転側壁部５５ａは、例えば、短側壁３の一部であるが、ネスティングの機能を損なわないように設けられるものであれば良い。そして、回転フランジ部５３ａと回転側壁部５５ａとが連結される部分は、回転可能に設けられるヒンジとなっている。
【００５８】
回転フランジ部５３ａは、回転軸５７、窪み部５９、ストッパ７１、差込部７３等を備える。回転側壁部５５ａは、回転軸７５等を備える。回転軸５７、窪み部５９は、図６の説明にて前述したとおりである。ストッパ７１は、回転側壁部５５ａが回転したときに、回転側壁部５５ａの回転運動を所望の位置で停止させる役割を果たす。差込部７３は、回転軸７５を差し込む孔である。差込部７３と回転軸７５とによって、回転フランジ部５３ａと回転側壁部５５ａとが連結され、連結される部分が回転可能なヒンジを構成する。回転軸７５は、回転側壁部５５ａと一体となって回転するように設けられても良い。また、回転側壁部５５ａのみが回転し、回転軸７５は差込部７３に固定されていても良い。
【００５９】
図１３は、回転部５１ａの第２の位置を示す図である。
図１３に示すように、回転部５１ａは、短側壁上部フランジ９を超えない高さであって、かつ短側壁３と一定の距離だけ離れている。図１３を見ても分かるとおり、回転部５１ａが設けられている短側壁３側から商品を収容する場合であっても、回転部５１ａが邪魔にならない。すなわち、回転部５１ａをコンテナ１に設け、回転部５１ａを第２の位置に固定しても、コンテナ１の商品を収容する機能を損なうことはない。
【００６０】
図１４は、図１３のＸ−Ｙ線断面図である。
図１４では、回転部５１ａが第２の位置に固定され、更に回転側壁部５５ａが略半回転した位置でストッパ７１に支えられている様子を示している。また、図１４では、非回転側壁部６９を網目模様とし、回転軸５７および回転軸７５を黒丸としている。
【００６１】
図１４に示すように、第２の位置では、タグホルダ６７が、コンテナ１に収容する商品から一定の距離だけ離れている状態となっている。また、コンテナ１の側壁に開口部が生じていない。更に、回転側壁部５５ａは、回転フランジ部５３ａの高さ以下に停止している。尚、回転側壁部５５ａには、図４に示したカンバンホルダ４３を設けるようにしても良い。
【００６２】
また、タグホルダ６７は、回転側壁部５５ａ内ではなく、回転側壁部５５ａの表面に設けられている。そして、回転部５１ａが第１の位置に固定されるとき、タグホルダ６７が嵌まる溝部が非回転側壁部６９に形成されている。これによって、回転部５１ａが第１の位置に固定されるとき、タグホルダ６７は回転側壁部５５ａと非回転側壁部６９との間に挟まれることになり、タグ４１の破損を防止することができる。
【００６３】
尚、ストッパ７１は、回転側壁部５５ａが略半回転した位置以外にも、回転側壁部５５ａの回転運動を所望の位置で停止させるような形状とすることができることは言うまでもない。また、ストッパ７１を設けずに、回転フランジ部５３ａと回転側壁部５５ａとが連結される部分において、ヒンジを構成する部材の形状を変更する、または更なる部材を設けることで、回転側壁部５５ａの回転運動を所望の位置で停止させることもできることは言うまでもない。
【００６４】
図１５は、回転部５１ｂの詳細を示す図である。
図１５では、回転部５１ｂが第２の位置に固定され、更に回転側壁部５５ｂを構成する二つの部材が所定の位置でストッパ７１ａおよびストッパ７１ｂに支えられている様子を示している。また、図１５では、非回転側壁部６９を網目模様とし、回転軸５７および二つの回転軸７５を黒丸としている。
【００６５】
図１５には図示していないが、第１の位置では、回転部５１ｂは、回転フランジ部５３ａと回転側壁部５５ｂとが連結されて形成され、鉛直方向の断面は略Ｌ字形である。回転フランジ部５３ａは、短側壁上部フランジ９の一部である。また、回転側壁部５５ｂは、例えば、短側壁３の一部であるが、ネスティングの機能を損なわないように設けられるものであれば良い。そして、回転フランジ部５３ａと回転側壁部５５ｂとが連結される部分は、回転可能に設けられるヒンジとなっている。更に、回転側壁部５５ｂは、二つの部材で構成され、各部材が連結される部分が回転可能に設けられるヒンジとなっている。
【００６６】
図１５には図示していない部材もあるが、回転フランジ部５３ａは、回転軸５７、窪み部５９、ストッパ７１ａ、差込部７３等を備える。各部材は、図１２の説明にて前述したとおりである。尚、ストッパ７１ａは、所望の位置で所望の位置で回転側壁部５５ｂの一方の部材を停止させる形状を有する。
【００６７】
また、図１５には図示していない部材もあるが、回転側壁部５５ｂは、タグホルダ６７、二つの回転軸７５、ストッパ７１ｂ、一つの差込部７３等を備える。回転側壁部５５ｂを構成する二つの部材が連結される部分は、図１２の説明にて前述したヒンジとなっている。尚、ストッパ７１ｂは、所望の位置で回転側壁部５５ｂの一方の部材を停止させる形状を有する。
【００６８】
図１５に示すように、第２の位置では、回転側壁部５５ｂが備えるタグホルダ６７が、コンテナ１に収容する商品から一定の距離だけ離れている状態となっている。これは、図１４の説明にて前述した回転側壁部５５ａが備えるタグホルダ６７と商品との距離と比して、より遠くに離れている状態となっている。また、コンテナ１の側壁に開口部が生じていない。更に、回転側壁部５５ｂは、回転フランジ部５３ａの高さ以下に停止している。尚、回転側壁部５５ｂには、図４に示したカンバンホルダ４３を設けるようにしても良い。
【００６９】
また、タグホルダ６７は、回転側壁部５５ｂ内ではなく、回転側壁部５５ｂの表面に設けられている。そして、回転部５１ｂが第１の位置に固定されるとき、タグホルダ６７が嵌まる溝部が非回転側壁部６９に形成されている。これによって、回転部５１ｂが第１の位置に固定されるとき、タグホルダ６７は回転側壁部５５ｂと非回転側壁部６９との間に挟まれることになり、タグ４１の破損を防止することができる。
【００７０】
以上説明したように、本発明の実施の形態によるコンテナ１は、底部７に側壁が設けられ、側壁の上部にフランジが設けられた箱状のコンテナであって、フランジの一部であって回転軸５７を備える回転フランジ部５３と、タグホルダ６７を備える回転側壁部５５と、が連結されて、鉛直方向の断面が略Ｌ字形の回転部５１を形成し、回転部５１は、回転軸５７を中心点として、フランジに対し回転するものである。
【００７１】
本発明の実施の形態によるコンテナ１は、タグ４１を読み取るときに、タグ４１が商品から一定の距離だけ離れているようにすることができる。そして、本来コンテナ１が有する機能は、そのまま発揮することができる。その他の特別な構成、および特別な構成によって奏する効果は、図面を参照しながら説明したとおりである。
【００７２】
尚、本発明の実施の形態では、コンテナ１がスタッキング機能およびネスティング機能を有するものとしていた。しかしながら、本発明に係る技術的思想は、スタッキング機能やネスティング機能を有さないコンテナ、または他の機能を有するコンテナであっても適用することができる。例えば、折り畳み機能を有するコンテナに対しては、回転部５１を構成する回転フランジ部５３および回転側壁部５５が、コンテナの側壁および上部フランジの一部である場合には、回転部５１が第１の位置で固定されていれば、折り畳み機能を損なうことはない。
【００７３】
以上、添付図面を参照しながら、本発明に係るコンテナ等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７４】
【図１】スタッキング機能およびネスティング機能を有するコンテナの一例を示す斜視図
【図２】コンテナ１のスタッキングの機能の概要を示す図
【図３】コンテナ１のネスティングの機能の概要を示す図
【図４】カンバンホルダ４３とシート４５を用いたタグ４１の取り付けの１例を示す図
【図５】回転部５１を設けたコンテナ１の１例を示す図
【図６】回転部５１の詳細を示す斜視図
【図７】回転部５１の第２の位置を示す図
【図８】図５のＸ−Ｙ線断面図
【図９】図７のＸ−Ｙ線断面図
【図１０】図７に示すコンテナ１に係るスタッキングの様子を示す図
【図１１】図７に示すコンテナ１に係るネスティングの様子を示す図
【図１２】回転部５１ａの詳細を示す図
【図１３】回転部５１ａの第２の位置を示す図
【図１４】図１３のＸ−Ｙ線断面図
【図１５】回転部５１ｂの詳細を示す図
【符号の説明】
【００７５】
１………コンテナ
３………短側壁
５………長側壁（側壁）
７………底部
９………短側壁上部フランジ
１１………長側壁上部フランジ（上部フランジ）
１３………短側壁中部フランジ
１５………長側壁中部フランジ
１７………角補強リブ
１９ａ………短側壁上部補強リブ
１９ｂ………短側壁下部補強リブ
２１ａ………長側壁上部広補強リブ
２１ｂ………長側壁下部広補強リブ
２３ａ………長側壁上部狭補強リブ
２３ｂ………長側壁下部狭補強リブ（補強リブ）
２５………短側壁膨出部
２７………長側壁狭膨出部
２９………長側壁広膨出部（膨出部）
３１………短側壁受容溝
３３………長側壁狭受容溝
３５………長側壁広受容溝（受容溝）
４１………タグ
４３………カンバンホルダ
４５………シート
５１、５１ａ、５１ｂ………回転部
５３、５３ａ………回転フランジ部
５５、５５ａ、５５ｂ………回転側壁部
５７………回転軸
５９………窪み部
６１………差込部
６３………突起部
６５………ばね部
６７………タグホルダ
６９………非回転側壁部
７１、７１ａ、７１ｂ………ストッパ
７３………差込部
７５………回転軸
【図１】
2009051559.tif 000003
【図２】
2009051559.tif 000004
【図３】
2009051559.tif 000005
【図４】
2009051559.tif 000006
【図５】
2009051559.tif 000007
【図６】
2009051559.tif 000008
【図７】
2009051559.tif 000009
【図８】
2009051559.tif 000010
【図９】
2009051559.tif 000011
【図１０】
2009051559.tif 000012
【図１１】
2009051559.tif 000013
【図１２】
2009051559.tif 000014
【図１３】
2009051559.tif 000015
【図１４】
2009051559.tif 000016
【図１５】
2009051559.tif 000017